(57)【要約】【課題】  内装下地材付き型枠兼用断熱パネルと、その一面に重ねて取付けられる内装板との間に空間ができないようにして太鼓音の発生を防止し、かつそれらの間に電線ケーブルを通線し易くする。【解決手段】  長方形に形成される断熱パネル本体１の一面に形成した複数条の縦溝３に内装下地材２を挿し込んで固定し、内装下地材２の外面と、断熱パネル本体１の一面とを略面一とする共に縦溝３と内装下地材２との間に、電線ケーブルＣａのケーブル挿通溝Ｇ）を形成した。【選択図】    図１
2011012494.tif 000002
【特許請求の範囲】
【請求項１】
長方形に形成される断熱パネル本体（１）と、この断熱パネル本体（１）の一面に固定される複数本の内装下地材（２）よりなり、前記断熱パネル本体（１）の一面には、横方向に間隔をあけ、相互に平行な複数条の縦溝（３）を形成し、それらの縦溝（３）内に、前記内装下地材（２）を挿着固定し、それらの内装下地材（２）の外面と、断熱パネル本体（１）の一面とを略面一とする共に前記縦溝（３）と内装下地材（２）との間に、断熱パネル本体（１）の上下端面に開口する電線ケーブル（Ｃａ）のケーブル挿通溝（Ｇ）を形成したことを特徴とする内装下地材付き型枠兼用断熱パネル。
【請求項２】
前記内装下地材（２）は、集成材に、木炭塗料を塗布して構成されることを特徴とする、前記請求項１記載の内装下地材付き型枠兼用断熱パネル。
【請求項３】
前記請求項１、または２記載の内装下地材付き型枠兼用断熱パネルの支持構造であって、
スラブ（Ｓ）上に敷居状の支持台（１０）をレベル出して固定し、この支持台（１０）の上面に形成した凹溝（１２）に、前記内装下地材（２）の下面に突設した下部突起（２ａ）を嵌合して、内装下地材付き型枠兼用断熱パネル（Ｐ）を支持台（１０）に建て込み固定したことを特徴とする、内装下地材付き型枠兼用断熱パネルの支持構造。
【発明の詳細な説明】
【技術分野】
【０００１】
本発明は、型枠材、断熱材および内装下地材に兼用できるようにした、建築用内装下地材付き型枠兼用断熱パネルおよびその支持構造に関する。
【背景技術】
【０００２】
従来、コンクリート躯体造成用のコンクリート型枠に兼用される断熱板６に、端太材に兼用される複合補強材７を一体化し、コンクリート躯体の造成後、断熱板６を断熱材として使用し、また、内装下地工事において、複合補強材７を下地材として使用できるようにした、型枠・内装下地兼用断熱パネルは公知である（後記特許文献１参照）。
【先行技術文献】
【特許文献】
【０００３】
【特許文献１】特公平７−６２４４号公報
【発明の概要】
【発明が解決しようとする課題】
【０００４】
ところで、かかる断熱パネルを、コンクリート躯体造成のためのコンクリート型枠として使用するときに、
(1) 断熱パネルの建て込み工数を低減し、しかも、建て込み精度を高めること、
(2) エコ対策に配慮すること、
が要求され、
また、断熱パネルをコンクリート躯体の造成後に、建築物の断熱材として使用するときに、その表面に、内装板が重ねて取り付けられるが、
(3) 断熱パネルと内装板との間に形成される空間を削減して、太鼓音が発生しないようにすること、
(4) 断熱パネルと内装板との間には、電気ケーブルを通線するためのケーブル挿通溝を設けること、
が要求される。
【０００５】
しかしながら、前記特許文献１のものでは、前記要求を満足できるものではない。
【０００６】
本発明は、かかる実情に鑑みてなされたものであり、前記要求をすべて満足できるようにした、新規な内装下地材付き型枠兼用断熱パネルおよびその支持構造を提供することを目的とする。
【課題を解決するための手段】
【０００７】
上記目的を達成するために、請求項１記載の発明は、長方形に形成される断熱パネル本体と、この断熱パネル本体の一面に固定される複数本の内装下地材よりなり、前記断熱パネル本体の一面には、横方向に間隔をあけ、相互に平行な複数条の縦溝を形成し、それらの縦溝内に、前記内装下地材を挿着固定し、それらの内装下地材の外面と、断熱パネル本体の一面とを略面一とする共に前記縦溝と内装下地材との間に、断熱パネル本体の上下端面に開口する電線ケーブルの挿通溝を形成したことを特徴としている。
【０００８】
また、上記目的を達成するために、請求項２記載の発明は、前記請求項１記載のものにおいて、前記内装下地材は、集成材に、木炭塗料を塗布して構成されることを特徴としている。
【０００９】
さらに、上記目的を達成するために、請求項３記載の発明は、前記請求項１または２記載の内装下地材付き型枠兼用断熱パネルの支持構造であって、スラブ上に敷居状の支持台をレベル出して固定し、この支持台の上面に形成した凹溝に、前記内装下地材の下面に突設した下部突起を嵌合して、内装下地材付き型枠兼用断熱パネルを支持台に建て込み固定したことを特徴としている。
【発明の効果】
【００１０】
請求項１項記載の発明によれば、内装下地材付き型枠兼用断熱パネルは、型枠材、断熱材および内装下地材とに兼用されるので、型枠の解体、断熱材の施工および内装下地材の取付の各工程を省略することができ、その大幅なコストダウンを達成することができ、また、内装下地材付き型枠兼用断熱パネルの一面には、内装板を隙間なく直接取り付けることができるので、それらの間には空間が殆ど形成されず、その空間に起因する太鼓音の発生を防止することができ、遮音性能が大幅に向上する。また、内装下地材付き型枠兼用断熱パネルと内装板との間には、ケーブル挿通溝を形成したので、それら間に電線ケーブルの通線がし易くなり、埋設配管が不要になる。
【００１１】
また、請求項２記載に発明によれば、さらに、内装下地材は、集成材に、木炭塗料を塗布して構成することにより、悪臭の除去、有害ガスの吸着、防腐、防蟻効果を達成することができ、エコ対策上有効である。
【００１２】
さらに、請求項３記載に発明によれば、内装下地材付き型枠兼用断熱パネルは、スラブ上にレベル出して設置した支持台上に建て込まれるので、該パネルの建込支持作業が容易になるばかりでなく建込支持精度を高めることができ、しかも、内装下地材付き型枠兼用断熱パネルはスラブに直接接触することがないことからその耐久性が確保される。
【図面の簡単な説明】
【００１３】
【図１】内装下地材付き型枠兼用断熱パネルの斜視図
【図２】図１の２矢視の内装下地材付き型枠兼用断熱パネルの正面図
【図３】図２の３−３線に沿う拡大断面図
【図４】内装下地材付き型枠兼用断熱パネルを用いて建て込まれたコンクリート型枠の側面図
【図５】図４の５−５線に沿う断面図
【図６】図５の６矢視仮想線囲い部分の拡大図
【図７】図５の７矢視仮想線囲い部分の拡大図
【図８】内装下地材付き型枠兼用断熱パネルの支持部の斜視図
【図９】図８の９−９線に沿う拡大断面図
【図１０】本発明の第２実施例にかかる図３対応図
【発明を実施するための形態】
【００１４】
以下、本発明の実施の形態を、添付図面に例示した本発明の実施例に基づいて以下に具体的に説明する。
【００１５】
まず、図１〜９を参照して本発明の第１実施例について説明する。
【００１６】
図１〜３に示す、内装下地材付き型枠兼用断熱パネルＰは、コンクリート躯体造成に用いられる型枠材、建物の、断熱材および内装下地材に兼用できるものであり、長方形の板状に形成され、その縦寸法が、建物の一居住空間の階高に相当する長さに形成される。
【００１７】
前記断熱パネル本体１は高断熱性があり、しかも軽量であるポリスチレン、ポリウレタンなどの硬質の発泡合成樹脂材により作られる。そして、この断熱パネル１の一面（室内側の面）に、複数の前記内装下地材２が固定される。コンクリート躯体の造成後に、内装下地材２の外面には、通常のように、適宜の内装板９が重ねて取り付けられる。
【００１８】
図３に明瞭に示すように、断熱パネル本体１の一面には、その横方向に間隔（端太間隔）をあけて複数（６つ）の縦溝３…が相互に平行に形成されている。これらの縦溝３…のうち、左右両端の縦溝３，３には、その一側に浅い１条のケーブル挿通溝Ｇが、その他の縦溝３…には、その両側に浅い２条のケーブル挿通溝Ｇ，Ｇがそれぞれ形成されている。      
【００１９】
各ケーブル挿通溝Ｇは、断面凹状で、その一側面が外側に広がる傾斜面ｓに形成されており、そのケーブル挿通溝Ｇに、電線ケーブルＣａが挿通し易くされている。
【００２０】
さらに、左右両端の縦溝３，３外側には、下地材２のハガレ防止用の突条４，４が形成されている。
【００２１】
前記内装下地材２は、断熱パネル本体１と略同じ長さを有して断面四角な角柱状に形成されている。そして、この内装下地材２は、集成材に木炭塗料を塗布して構成され、悪臭除去、ホルムアルデヒドなどの有害ガスの吸着、防腐、防蟻の機能を備える。
【００２２】
図３に示すように、複数の内装下地材２…は、断熱パネル本体１の前記縦溝３…内にそれぞれ嵌着され、接着剤により固定される。左右両端の縦溝３，３に嵌着される内装下地材２，２は、その内面の外側角部に突条４に係合するための切欠５が形成される。
【００２３】
なお、前記内装下地材２は、硬質の合成樹脂材により構成してもよい。
【００２４】
ところで、内装下地材２の外面は、断熱パネル本体１の一面と、略面一とされる。実際には、図３に示すように、内装下地材２の外面が断熱パネル本体１の一面より僅かに突出（約２ｍｍ）されるが、これは、後に述べるように、コンクリートの打設による断熱パネル本体１の外側への変形を見込んでおり、コンクリート躯体Ｂの造成後で、内装下地材付き型枠兼用断熱パネルＰを、建物の断熱材としたときには、断熱パネル本体１の一面と、内装下地材２の外面は面一とされ、そこに内装板９（図６，７参照）が空間ができないようにして重ねて取り付けられる。
【００２５】
図８，９に示すように、前記内装下地材付き型枠兼用断熱パネルＰは、建物のスラブＳ上に高精度をもって建て込まれる。
【００２６】
スラブＳ上には、レベル出しして支持台１０が敷設され、この支持台１０は、スラブＳに釘止め１１される。この支持台１０は防腐製の硬質合成樹脂材により敷居状に形成されており、その上面には、その長手方向の全長にわたり、凹溝１２が形成される。この凹溝１２に、前記複数の内装下地材２の下面に突設した突部２ａが嵌合され、断熱パネル本体１の下面は、支持台１０に着座される。内装下地材付き型枠兼用断熱パネルＰは、内装下地材２を通して支持台１０に釘止め１４固定される。
【００２７】
図４〜７には、本発明にかかる内装下地材付き型枠兼用断熱パネルＰを用いて組み込まれたコンクリート型枠Ｍが示される。前述のように、スラブＳ上には、複数枚の内装下地材付き型枠兼用断熱パネルＰを一列に並列して建て込むことにより内側型枠Ｍｉが組み込まれる。隣合う断熱パネル本体１の接続境界線のコンクリート打設側は、一方の断熱パネル本体１の端縁に予め取り付けたノロ止め７により覆い、コンクリートノロが内装下地材付き型枠兼用断熱パネルＰ側へ侵入するのを防止する。また、隣合う内装下地材付き型枠兼用断熱パネルＰのコーナ部には、コーナ材８が介在される。
【００２８】
図４，５に示すように、内装下地材付き型枠兼用断熱パネルＰよりなる内側型枠Ｍｉの外側には、コンクリートの打設空間１６をあけて、在来の型枠板１７よりなる外側型枠Ｍｏが組み込まれる。内側型枠Ｍｉと外側型枠Ｍｏよりなるコンクリート型枠Ｍは、通常のように、縦端太２０、横端太２１、緊結具２２などよりなる支保工Ｃにより、一体に建て込まれる。
【００２９】
なお、支保工Ｃの組立に際して、複数の内装下地材２…は、端太間隔をあけて断熱パネル本体１に固定することにより、横端太の替わりとして用いることができ、その組立、解体作業の簡略化に寄与し得る。
【００３０】
そして、前記コンクリート打設空間１６にコンクリートを打設することにより、コンクリート躯体Ｂが造成される。
【００３１】
ところで、図６（Ａ）、図７（Ａ）に示すように、コンクリート打設前の状態では、内側型枠Ｍｉを構成する内装下地材付き型枠兼用断熱パネルＰは、コンクリート打設圧による断熱パネル本体１の変形を見込んで、内装下地材２の外面が、断熱パネル本体１の一面よりも若干突出（約２ｍｍ）するように設定される。そして、図６（Ｂ），図７（Ｂ）に示すように、コンクリートの打設後では、断熱パネル本体１の変形により、該断熱パネル本体１の一面が、内装下地材２の外面と面一となる。
【００３２】
コンクリート躯体Ｂの造成後は、支保工Ｃを解体し、外側型枠Ｍｏの型枠板（ベニヤ板など）１７を取り除く。一方、内側型枠Ｍｉを構成する複数の内装下地材付き型枠兼用断熱パネルＰ…は、コンクリート躯体Ｂに結合したまま、建物の断熱材および内装下地材として使用される。
【００３３】
コンクリート躯体Ｂ造成後の、内装下地材付き型枠兼用断熱パネルＰの、面一となった断熱パネル本体１の一面と、内装下地材２の外面に、内装板９が重ね合わせて取り付けられ、接着剤あるいは他の固定手段を介して固定される。しかして、内装下地材付き型枠兼用断熱パネルＰと内装板９との間には、空間が殆ど存在しないので、太鼓音の発生を防止することができる。また内装下地材付き型枠兼用断パネルＰと内装板９との間に形成されるケーブル挿通溝Ｇに電線ケーブルＣａを通線することができ、その際に、ケーブル挿通溝Ｇの一側は、外側に広がる傾斜面ｓに形成されるので、電線ケーブルＣａの通線操作が容易になり、また、ケーブル挿通溝Ｇは、複数の内装下地材２にそれぞれ対応して設けられるので、電線ケーブルＣａの通線自由度を高めることができる。
【００３４】
つぎに図１０を参照して、本発明の第２実施例について説明する。
【００３５】
この第２実施例は、内装下地材２外面の両側、もしくはその一側を断面Ｌ状に切り欠くことにより、ケーブル挿通溝Ｇを形成した場合である。
【００３６】
しかして、この第２実施例も前記第１実施例と同じ効果を奏する。
【００３７】
以上の第１および第２実施例から明らかなように、本発明にかかる内装下地材付き型枠兼用断熱パネルＰは、型枠材、断熱材および内装下地材とに兼用されるので、型枠の解体、断熱材の施工および内装下地材の取付の各工程を省略することができ、その大幅なコストダウンを達成することができ、また、内装下地材付き型枠兼用断熱パネルのＰ一面には、内装板９を隙間なく直接取り付けることができるので、それらの間には空間が殆どに形成されず、その空間に起因する太鼓音の発生を防止することができ、遮音性能が大幅に向上する。また、内装下地材付き型枠兼用断熱パネルＰと内装板９との間には、ケーブル挿通溝Ｇを形成したので、それら間に電線ケーブルの通線がし易くなり、埋設配管が不要になる。
【００３８】
また、内装下地材２は、集成材に、木炭塗料塗布して構成することにより、悪臭の除去、有害ガスの吸着、防腐、防蟻効果を達成することができ、エコ対策に優れている。
【００３９】
さらに、内装下地材付き型枠兼用断熱パネルＰは、スラブＳ上にレベル出して設置した支持台１０上に建て込まれるので、該パネルＰの建込支持作業が容易になるばかりでなくその建込支持精度を高めてことができ、しかもスラブＳに直接接触することがないことから耐久性が高められる。
【００４０】
以上、本発明の実施例について説明したが、本発明はその実施例に限定されることなく、本発明の範囲内で種々の実施例が可能である。
【符号の説明】
【００４１】
１・・・・・・断熱パネル本体
２・・・・・・内装下地材
２ａ・・・・・突部
３・・・・・・縦溝
１０・・・・・・支持台
１２・・・・・・凹溝
Ｃａ・・・・・電線ケーブル
Ｇ・・・・・・ケーブル挿通溝
Ｓ・・・・・・スラブ
【図１】
2011012494.tif 000003
【図２】
2011012494.tif 000004
【図３】
2011012494.tif 000005
【図４】
2011012494.tif 000006
【図５】
2011012494.tif 000007
【図６】
2011012494.tif 000008
【図７】
2011012494.tif 000009
【図８】
2011012494.tif 000010
【図９】
2011012494.tif 000011
【図１０】
2011012494.tif 000012